(57)【要約】【課題】本発明は、挿入されたカード部材を検出するための検出スイッチ、および情報の書き込み禁止を検出するための検出スイッチを備えたものにおいて、それぞれの検出スイッチの半田付け作業を不要としたカード用コネクタ装置を提供すること。【解決手段】本発明のカード用コネクタ装置の第１、第２検出スイッチは、可動接点部材８とこの可動接点部材８が接触可能な第１、第２固定接点部材１０、１１とをそれぞれ有し、可動接点部材８および第１、第２固定接点部材１０、１１と複数の端子部材４には、ＦＰＣ挿入部２ｂに挿入したＦＰＣ１５の複数の接続部にそれぞれ接触可能なＦＰＣ接触部を形成したので、ＦＰＣを半田付けする煩わしい作業がない。【選択図】　　　　図８
2004127693.tif 000002
【特許請求の範囲】
【請求項１】
複数の接触部を有するカード部材を前端部側から挿入して内部のカード収納部に装着可能なハウジングと、前記カード収納部に装着した前記カード部材の前記接触部に一端部側が接触可能な前記カード収納部内に配設した複数の端子部材と、前記カード部材の前記カード収納部への装着完了を検出可能な第１検出スイッチと、前記カード部材への情報の書き込み可否を検出可能な第２検出スイッチとを備え、
前記ハウジングには、前記端子部材に接触可能なＦＰＣ（フレキシブルプリント基板）を挿入可能なＦＰＣ挿入部を形成し、前記第１、第２検出スイッチは、可動接点部材とこの可動接点部材が接触可能な固定接点部材とをそれぞれ有し、前記各可動接点部材と前記各固定接点部材および前記複数の端子部材には、前記ＦＰＣ挿入部に挿入した前記ＦＰＣの端部に配設した複数の接続部にそれぞれ接触可能なＦＰＣ接触部を形成したことを特徴とするカード用コネクタ装置。
【請求項２】
前記可動接点部材は、前記第１検出スイッチの一部を構成する第１可動接点部と、第２検出スイッチの一部を構成する第２可動接点部とを、前記カード収納部に挿入する前記カード部材の挿入方向に連ねて形成し、１つの前記ＦＰＣ接触部を介して前記ＦＰＣが前記接続可能としたことを特徴とする請求項１記載のカード用コネクタ装置。
【請求項３】
前記可動接点部材は、長尺状の１枚の金属板からなり、この１枚の金属板の長手方向の前後に、前記第１可動接点部と前記第２可動接点部とを形成したことを特徴とする請求項２記載のカード用コネクタ装置。
【請求項４】
前記可動接点部材は、一方側に前記第１、第２可動接点部を形成した長尺状の基材と、他方側に形成した前記ＦＰＣ接触部とを有し、前記基材を前記カード収納部に隣設したスイッチ収納部に配置し、前記第１可動接点部を前記スイッチ収納部の奥側に、前記第２可動接点を前記スイッチ収納部の手前側に位置させたことを特徴とする請求項３記載のカード用コネクタ装置。
【請求項５】
前記それぞれの固定接点部材は、前記第１可動接点部が接触可能な第１固定接点部材と、前記第２可動接点部が接触可能な第２固定接点部材とを備え、前記第２固定接点部材は、前記第２可動接点部が接触すると押圧されて弾性変形するようにしたことを特徴とする請求項３または４記載のカード用コネクタ装置。
【請求項６】
前記カード部材を前記カード収納部に挿入すると、前記カード部材の前端部が前記第１検出スイッチの前記可動接点部を押圧して、前記第１検出スイッチが作動し前記カード部材が挿入されたことを検出すると共に、前記第２検出スイッチが前記カード収納部に挿入された前記カード部材における前記書き込み可否を示す識別子の位置を検出するようにしたことを特徴とする請求項１乃至５のいずれかに記載のカード用コネクタ装置。
【発明の詳細な説明】
【０００１】
【発明の属する技術分野】
本発明はカード用コネクタ装置に係わり、特にパーソナルコンピュータ等の記憶媒体に用いられるＩＣカードや、デジタルカメラ等の電子機器に使用されるカード等に書き込み、または読み出し可能なカード用コネクタ装置に関する。
【０００２】
【従来の技術】
パーソナルコンピュータ（以後ＰＣと称する）等の装置の増設記録装置としてＩＣカードに必要な情報を書き込み、あるいは読み出しを行うためにカード用コネクタ装置が一般的に用いられている。
このような従来のカード用コネクタ装置としては、図１２に示すように、ハウジング２１が配設され、このハウジング２１の図示左側には、カード部材（図示せず）が挿入されるカード挿入口２２が形成されている。
また、ハウジング２１の内側両側面にはカード部材の挿脱を案内するガイドレール２３が形成されている。
また、ハウジング２１の図示右側には、イジェクト部材２４がカード挿脱方向にスライド自在に配設されている。
【０００３】
また、ハウジング２１の底壁２１ａには、複数の端子部材２５が並列されて配設されている。この端子部材２５は、ＰＣ側のプリント基板（図示せず）に半田付け可能な端子部２５ａが、図示左側のカード挿入口２２方向に延出形成され、図止右側にカード部材の複数の接触部が接触可能な接点部２５ａが形成されている。
また、ハウジング２１の内側の側壁部には、第１検出スイッチを構成する第１接触バネ片２６と第２の接触バネ片２７とが互いに接離可能に配設されている。これら第１検出スイッチは、第１、第２接触バネ片２６、２７が接離することによりカード部材への情報の書き込み可否を検出可能になっている。
また、第１、第２接触バネ片２６、２７には、ハウジング２１の後方側に延出する端子部２６ａ、２７ａがそれぞれ形成され、更に第１接触バネ片２６の端子部２６ａ近傍には、バネ片部２６ｂが切り起こし形成されている。
【０００４】
また、カード部材の前端部が突き当たるカード突き当て壁２８には、スイッチ収納部２９が形成され、このスイッチ収納部２９に第２検出スイッチを構成する折り返し型の第３の接触バネ片３０が配設されている。
前記第２検出スイッチの第３の接触バネ片３０は、ハウジング２１の後方側に延出する第３の端子部３０ａが、第１、第２端子部２６ａ、２７ａと同方向に延出されて並列配置されている。
また、第３の接触バネ片３０には、第１接触バネ片２６のバネ片部２６ｂに接触可能な当接部３０ｂが形成されている。
そして、従来のカード用コネクタ装置をＰＣ側のプリント基板に取り付けるには、端子部材のそれぞれの端子部２５ａおよび第１、第２、第３の端子部２６ａ、２７ａ、３０ａをプリント基板の配線パターンに位置決めして、半田付けすることにより取り付け可能になっている。
【０００５】
このような従来のカード用コネクタ装置は、カード挿入口２２からカード部材（図示せず）をガイドレール２３に沿って挿入すると、カード部材の前端部が第３の接触バネ片３０を押圧して、当接部３０ｂが第１バネ片２６のバネ辺部２６ｂに接触する。このことにより、カード部材の装着が行われたことを検出することができる。
また、この時、挿入されたカード部材のライトプロテクト用識別子が、情報の書き込み禁止位置に操作されている場合は、第１、第２接触バネ片２６、２７が接触せず、これによってカード部材に情報の書き込み禁止がされて、書き込みが行えないようになっている。
【０００６】
また、ライトプロテクト用識別子が、情報の書き込み可能位置に操作されている場合は、第１接触バネ片２６がライトプロテクト用識別子に押圧されて第２接触バネ片２７に接触することにより、第１スイッチ回路が切り換わってカード部材に情報の書き込みを行うことができるようになっている。
【０００７】
【特許文献１】
特開２００１−１３５３８３号公報
【０００８】
【発明が解決しようとする課題】
しかし、上述したような従来のカード用コネクタ装置の第１、第２検出スイッチのそれぞれの第１、第２、第３の接触バネ片２６、２７、３０には、半田付け部である端子部２６ａ、２７ａ、３０ａが形成され、この端子部２６ａ、２７ａ、３０ａを、それぞれプリント基板に半田付けしなければならなかったので組立に時間が掛かった。
また、半田付け時に加わる高温でハウジング２１が変形したりするのを防止するために、半田付け温度あるいは半田付け時間等を細かく管理しなければならず煩わしかった。
本発明は前述したような問題点に鑑みてなされたもので、挿入されたカード部材を検出するための検出スイッチ、および情報の書き込み禁止を検出するための検出スイッチを備えたものにおいて、それぞれの検出スイッチの半田付け作業を不要としたカード用コネクタ装置を提供することを目的とする。
【０００９】
【課題を解決するための手段】
上記課題を解決するための第１解決手段として本発明のカード用コネクタ装置は、複数の接触部を有するカード部材を前端部側から挿入して内部のカード収納部に装着可能なハウジングと、前記カード収納部に装着した前記カード部材の前記接触部に一端部側が接触可能な前記カード収納部内に配設した複数の端子部材と、前記カード部材の前記カード収納部への装着完了を検出可能な第１検出スイッチと、前記カード部材への情報の書き込み可否を検出可能な第２検出スイッチとを備え、前記ハウジングには、前記端子部材に接触可能なＦＰＣ（フレキシブルプリント基板）を挿入可能なＦＰＣ挿入部を形成し、前記第１、第２検出スイッチは、可動接点部材とこの可動接点部材が接触可能な固定接点部材とをそれぞれ有し、前記各可動接点部材と前記各固定接点部材および前記複数の端子部材には、前記ＦＰＣ挿入部に挿入した前記ＦＰＣの端部に配設した複数の接続部にそれぞれ接触可能なＦＰＣ接触部を形成したことを特徴とする。
【００１０】
また、上記課題を解決するための第２解決手段として、前記可動接点部材は、前記第１検出スイッチの一部を構成する第１可動接点部と、第２検出スイッチの一部を構成する第２可動接点部とを、前記カード収納部に挿入する前記カード部材の挿入方向に連ねて形成し、１つの前記ＦＰＣ接触部を介して前記ＦＰＣが前記接続可能としたことを特徴とする。
【００１１】
また、上記課題を解決するための第３解決手段として、前記可動接点部材は、長尺状の１枚の金属板からなり、この１枚の金属板の長手方向の前後に、前記第１可動接点部と前記第２可動接点部とを形成したことを特徴とする。
【００１２】
また、上記課題を解決するための第４解決手段として、前記可動接点部材は、一方側に前記第１、第２可動接点部を形成した長尺状の基材と、他方側に形成した前記ＦＰＣ接触部とを有し、前記基材を前記カード収納部に隣設したスイッチ収納部に配置し、前記第１可動接点部を前記スイッチ収納部の奥側に、前記第２可動接点を前記スイッチ収納部の手前側に位置させたことを特徴とする。
【００１３】
また、上記課題を解決するための第５解決手段として、前記それぞれの固定接点部材は、前記第１可動接点部が接触可能な第１固定接点部材と、前記第２可動接点部が接触可能な第２固定接点部材とを備え、前記第２固定接点部材は、前記第２可動接点部が接触すると押圧されて弾性変形するようにしたことを特徴とする。
【００１４】
また、上記課題を解決するための第６解決手段として、前記カード部材を前記カード収納部に挿入すると、前記カード部材の前端部が前記第１検出スイッチの前記可動接点部を押圧して、前記第１検出スイッチが作動し前記カード部材が挿入されたことを検出すると共に、前記第２検出スイッチが前記カード収納部に挿入された前記カード部材における前記書き込み可否を示す識別子の位置を検出するようにしたことを特徴とする。
【００１５】
【発明の実施の形態】
以下、本発明の実施の形態のカード用コネクタ装置を図１〜図１１に基づいて説明する。図１は本発明のカード用コネクタ装置の上面図であり、図２は本発明に係わるハウジングの上面図であり、図３、４は発明に係わるロック部材を説明する図であり、図５、６は本発明に係わるロック部材の動作を説明する要部断面図であり、図７は本発明に係わる端子部材の斜視図であり、図８〜図１０は本発明に係わる検出スイッチを説明する概略図であり、図１１は本発明に係わるロック部材の動作を説明する概略図である。
【００１６】
まず、本発明の１実施の形態のカード用コネクタ装置１は、図２に示すように、樹脂材料等の絶縁材で形成されて外形が略矩形状のハウジング２が配設されている。このハウジング２は、図示左側の前端部側から図示右側の後端部側の途中までにカード収納部３が形成され、このカード収納部３には、内部にＩＣ（集積回路）を収納した、記録媒体として一般に使用されている公知のカード部材（図示せず）が収納可能になっている。
【００１７】
また、カード収納部３には、図２に示すように、底面３ａが形成され、この底面３ａの図示上下の両内壁面には段差部３ｂが形成されて、この段差部３ｂにカード部材（図示せず）を載置して所定の収納位置に案内可能になっている。
また、カード収納部３には、底面３ａの奥側（図示右側）に複数の端子部材４が並設されている。
そして、底面３ａの奥側には、それぞれの端子部材４の一端部側である図示左側に延びる腕部４ａの先端部に形成したカード用接触部４ｂを囲むように保護壁３ｃが形成されている。
この保護壁３ｃによって、カード挿入部３に異物が挿入された場合、あるいはカード部材を逆挿入した場合に、端子部材４のカード用接触部４ｂが破損するのを防止するようになっている。
【００１８】
また、ハウジング２は、図示右側の後端部側に、後述するＦＰＣ１５を挿入可能なＦＰＣ挿入部２ｂを形成した底壁２ｃが設けられ、この底壁２ｃは、図５に示すように、右側の後端部側が傾斜状になっている。
また、ハウジング２には、図５に示すように、ＦＰＣ挿入部２ｂとカード収納部３との間に、複数の端子部材４、後述する可動接点部材８、第１、第２固定接点部材１０、１１を位置決め可能な端子位置決め部２ｄが突出形成され、この端子位置決め部２ｄには、端子部材４の後述する端子固定部６を圧入可能な穴状の圧入孔２ｅが貫通形成されている。
【００１９】
また、ハウジング２の裏面側には、図１１に示すように、ＦＰＣ挿入部２ｂ近傍に位置する底壁２ｃの側面に、後述するロック部材７の第１係止部７ｆが係合可能な鈎状の係合部２ｆが突出形成されている。
また、図２に示すカード収納部３の段差部３ｂの外側には、側壁２ｇ、２ｇがそれぞれ形成されている。
また、図２に示すハウジング２の上部側の側壁２ｇは、内側の側壁２ｈと外側の側壁２ｊとが互いに対向して形成され、この内側の側壁２ｈと外側の側壁２ｊとの間に横長状で長方形状のスイッチ収納部２ｋが形成され、このスイッチ収納部２ｋ内に後述する第１、第２検出スイッチが配設されている。
前記それぞれの側壁２ｇ、２ｇおよび外側の側壁２ｊには、後述するカバー１４をスナップ係止するための複数の係止部２ｍが外向きに突出形成されている。
【００２０】
また、端子位置決め部２ｄに形成した複数の圧入孔２ｅには、複数の端子部材４が圧入されてハウジング２に固着されている。前記端子部材４は、図７に示すように、所定の間隔を有して互いに絶縁されて並設されている。
また、端子部材４は、導電性を有すると共に弾性を有する板材、例えば金属板からなり、図示左方向の一端部側に延出形成されて、板厚方向に弾性変形可能な腕部４ａが設けられている。
この腕部４ａの図示左側の先端部には、カード部材（図示せず）の接触部が接触可能なカード用接触部４ｂが上方側に湾曲形成されている。
【００２１】
また、端子部材４は、腕部４ａの図示右側の根本部分が階段状に図示上方に折り曲げられて、ハウジング２の端子位置決め部２ｄに位置決め可能な位置決め部４ｃが形成されている。
また、位置決め部４ｃから図示右方向の他端部側に延びて、所定の幅寸法の基部４ｄが形成され、この基部４ｄの幅方向の一側辺を直角状に図示下方に折り曲げて、ＦＰＣ固定部５が形成されている。
また、基部４ｄの図示右側端部には、平坦状の治具接触部４ｅが延出形成れており、この平坦状の治具接触部４ｅに、それぞれ導通チエック用治具（図示せず）が接触可能になっている。
【００２２】
前記ＦＰＣ固定部５は、後述するＦＰＣ１５を差込可能な所定の幅寸法で略Ｕ字状の差込口５ａが打ち抜き形成されている。
また、ＦＰＣ固定部５は、差込口５ａを挟んで図示下方側にＦＰＣ接触部５ｂが形成され、ＦＰＣ接触部５ｂと対向する図示上方側にロック部材支持部５ｃが形成されている。
【００２３】
前記ＦＰＣ接触部５ｂには、図示右側の先端部側で、差込口５ａの入り口部分に鈎状に突出する抜け止め部５ｄが形成されている。また、ＦＰＣ接触部５ｂは、図示上下方向に弾性変形可能になっている。
また、端子部材４は、腕部４ａ寄りの基部４ｄの一部を、ＦＰＣ固定部５と同方向に折り曲げて、図５、６に示すような端子固定部６（図７では省略している）が図示下方側に突出形成されている。
そして、端子固定部６を圧入孔２ｅに圧入してハウジング２に取り付けた端子部材４は、図５に示すように、ＦＰＣ接触部５ｂの下部とテーパ状の底壁２ｃとの間に傾斜状の隙間が形成されるようになっている。
【００２４】
また、図５に示すように、端子部材４の基部４ｄに沿って矢印Ａ、Ｂ方向にスライド移動可能なロック部材７が配設されている。このロック部材７は、樹脂材料からなり端子部材４の基部４ｄおよびロック部材支持部５ｃが嵌合可能な嵌合溝７ａが形成され、この嵌合溝７ａは、図示左側の入り口側が開放されている。また、ロック部材７は、嵌合溝７ａを挟んで図示下方側に、ＦＰＣ圧接部７ｂが形成され、このＦＰＣ圧接部７ｂと対向する図示上方側に、板状でＦＰＣ圧接部７ｂより図示左方向に長いガイド壁７ｃが形成されている。
【００２５】
そして、ロック部材７を矢印Ａ、Ｂ方向に移動させることにより、ガイド壁７ｃが平坦状の基部４ｄ上をスライド移動して、嵌合溝７ａにＦＰＣ固定部５のロック部材支持部５ｃが嵌合するようになっている。
また、ロック部材７は、後述する可動接点部材８、第１、第２固定接点部材１０、１１にそれぞれ形成したＦＰＣ接触部に後述するＦＰＣ１５を圧接して導通可能になっている。
【００２６】
前記ロック部材７は、嵌合溝７ａを挟んで互いに対向するＦＰＣ圧接部７ｂとガイド壁７ｃとによって断面視の形状が略コ字状に形成されいる。
また、ロック部材７は、図３、４に示すように、嵌合溝７ａの奥側には、ガイド壁７ｃの一部が切り欠きされて開口部７ｄが形成され、この開口部７ｄによって、嵌合溝７ａの奥側が開放されている。
また、ＦＰＣ圧接部７ｂには、嵌合溝７ａの奥側で開口部７ｄが形成された部分に、平坦状の端子受け面７ｅが形成され、この端子受け面７ｅ上に端子部材４および後述する可動接点部材８、第１、第２小手接点部材１０、１１に形成した治具接触部４ｅ、８ｎ、１０ｇ、１１ｆが位置するようになっている。
【００２７】
また、ロック部材７は、開口部７ｄを形成した部分のガイド壁７ｃの左右端部には壁部７ｆ、７ｆが突出形成され、この壁部７ｆ、７ｆからは、壁部７ｆと直交する方向に係止腕７ｇ、７ｇが形成され、この一対の係止腕７ｇ、７ｇは、先端部に鈎状の第１係止部７ｈが形成されている。
また、ガイド壁７ｃの平坦面の２箇所には、一対のスリット孔７ｊ、７ｊが貫通形成されており、このスリット孔７ｊに後述するカバー１４の係合片１４ｄが係合可能になっている。
【００２８】
前記ロック部材７は、図１１に示すように、ハウジング２を裏面側から見た状態において、第１係止部７ｈがハウジング２の係合部２ｆにスナップ係合して、ハウジング２に係合支持されている。
また、一対の係支腕７ｇ、７ｇには、図３に示すように、上方に突出する鈎状の第２係止部７ｋが形成され、この第２係支部７ｋは、図１１に示すハウジング２の裏面側に係合支持可能になっている。
【００２９】
また、スイッチ収納部２ｋ内に配設した第１、第２検出スイッチは、図８〜図１０に示すように、長尺状の１枚の金属板からなる可動接点部材８が配設されている。この可動接点部材８は、スイッチ収納部２ｋ内に長尺状の基材８ａが配置され、この基材８ａの奥側に第１検出スイッチを構成する第１可動接点部８ｂと、この第１可動接点部８ｂより手前側に第２検出スイッチを構成する第２可動接点部８ｃとが、カード収納部３に挿入するカード部材（図示せず）の挿入方向と平行方向に連ねて形成されている。
【００３０】
また、基材８ａに形成した第１可動接点部８ｂは、図９に示すように、基材８ａの一部（奥側）を打ち抜いて形成した細長状の第１スリット溝８ｄにより、奥側の一端部側が片持ち梁状に基材８ａから切り離されて第１腕部８ｅが形成され、この第１腕部８ｅの途中に第１可動接点部８ｂが形成されている。
また、第１可動接点部８ｂより奥側の第１腕部８ｅの一端部側が、長尺状の基材８ａに対して所定角度で斜めに切り起こしされて、テーパ状のカード当接部８ｆが形成されている。
前記カード当接部８ｆは、スイッチ収納部２ｋを構成する内側の側壁２ｊの一部が切り欠きされて、カード挿入部３側に突出している。そして、内側の側壁２ｊから突出するカード当接部８ｆに、カード収納部３に挿入したカード部材（図示せず）の先端部側のコーナ部が当接することにより、第１腕部８ｅが弾性変形して、第１可動接点部８ｂが後述する第１固定接点部材１０側に弾性変形可能するようになっている。
【００３１】
また、可動接点部材８の基材８ａは、図９に示すように、第１可動接点部８ｂの手前側で第１腕部８ｅより上方に位置する部分が、手前側に延びる細長状の第２スリット溝８ｇにより切り離されて、片持ち針状の第２腕部８ｈが形成され、この第２腕部８ｈの奥側の先端部に第２可動接点部８ｃが形成されている。
そして、第２腕部８ｈは、奥側先端部の第２可動接点部８ｃより手前側に、三角形状に形成されたＷ／Ｐ（ライトプロテクト）検出部８ｊが、カード挿入部３側に突出している。
【００３２】
前記Ｗ／Ｐ検出部８ｊは、内側の側壁２ｊの一部が切り欠きされて、カード挿入部３側に突出している。
そして、カード収納部３に挿入したカード部材（図示せず）の情報の書き込み可否を識別可能な識別子が、Ｗ／Ｐ検出部８ｊに当接することにより、第２腕部８ｈが後述する第２固定接点部材１１側に弾性変形するようになっている。
即ち、可動接点部材８は、長尺状の１枚の金属板の一部を打ち抜いて、第１、第２可動接点部８ｂ、８ｃを、長手方向の前後に並列させて形成している。
【００３３】
また、可動接点部材８は、図８に示すように、第１、第２可動接点部８ｂ、８ｃを形成した基材８ａの奥側を折り曲げて位置決め部８ｋを形成し、この位置決め部８ｋがハウジング２の端子位置決め部２ｄに位置決め可能となっていると共に、位置決め部８ｋから端子部材４の基部４ｄと同方向に延出させて固定部８ｍが形成され、この固定部８ｍの図示右側端部に、端子部材４の治具接触部４ｅと同様に治具接触部８ｎが形成されている。
【００３４】
また、固定部８ｍを直角状に下方に折り曲げて、図９に示すように、端子部材４のＦＰＣ固定部５と同様の、後述するＦＰＣ１５を固定可能なＦＰＣ固定部９が形成されている。
このＦＰＣ固定部９は、ロック部材７のＦＰＣ圧接部７ｂおよび後述するＦＰＣ１５とを差込可能な差込口９ａが形成され、この差込口９ａを挟んでＦＰＣ接触部９ｂと、このＦＰＣ接触部９ｂと対向する図示上方側にロック部材支持部９ｃとが形成されている。
即ち、可動接点部材８は、一方側に第１、第２可動接点部８ｂ、８ｃを形成した長尺状の基材８ａと、他方側に形成したＦＰＣ固定部９とを有し、基材８ａをカード収納部３に隣設したスイッチ収納部２ｋに配置し、第１可動接点部８ｂをスイッチ収納部２ｋの奥側に、第２可動接点８ｃをカード収納部２ｋの手前側に位置させ配設されている。
【００３５】
また、スイッチ収納部２ｋ内には、可動接点部材８の基材８ａと対向する外側に、金属板からなる第１固定接点部材１０と第２固定接点部材１１とが互いに絶縁されて配置されている。
前記第１固定接点部材１０は、一方側に形成した基材１０ａがスイッチ収納部２ｋ内に位置して、可動接点部材８の基材８ａと平行に形成されている。この基材１０ａは、スイッチ収納部２ｋの奥側から第１可動接点部８ｂと対向する部分まで延びて形成され、先端部の第１可動接点部８ｂと対向する部分に第１固定接点部１０ｂが形成されている。
【００３６】
前記第１固定接点部材１０の基材１０ａは、図８に示すように、ハウジング２に形成した支持部２ｎに支持されて、動きが規制されている。また、固定接点部材１０の基材１０ａの奥側をＬ字状に折り曲げて、ハウジング２の端子位置決め部２ｄに位置決め可能な位置決め部１０ｃを形成すると共に、位置決め部１０ｃを可動接点部材８のＦＰＣ固定部９と同方向に折り曲げてＦＰＣ固定部１０ｄが形成されている。
【００３７】
このＦＰＣ固定部１０ｄは、可動接点部材８のＦＰＣ固定部９と同様に差込口１０ｅが形成され、この差込口１０ｅを挟んでＦＰＣ接触部（図示せず）と、このＦＰＣ接触部と対向する図示上方側にロック部材支持部（図示せず）とが形成されている。
また、ＦＰＣ固定部１０ｄの上部を水平方向に折り曲げて平坦状の固定部１０ｆが形成され、この固定部１０ｆの図示右側端部に、治具接触部１０ｇが形成されている。
【００３８】
また、第１固定接点部材１０の外側には、長尺状の第２固定接点部材１１が配設されており、この第２固定接点部材１１は、一方側に形成した基材１１ａがスイッチ収納部２ｋ内に位置して、可動接点部材８の基材８ａと平行状態で取り付けられている。また、第２の固定接点部材１１は、可動接点部材８の第２腕部８ｈと対向する部分が傾斜状に切り起こしされて、弾性変形可能な腕部１１ｂが形成され、この腕部１１ｂの先端部側で、可動接点部８ｃと対向する部分に第２固定接点部１１ｃが形成されている。
【００３９】
前記腕部１１ｂの第２固定接点部１１ｃは、第２可動接点部８ｃが接触して押圧されると、外側の側壁２ｈ側に弾性変形するようになっている。
そして、腕部１１ｂが弾性変形すると、互いに接触する第２可動接点部８ｃと第２固定接点部１１ｃとが摺動して、接点部のクリーニングを行うことができ、第２固定接点部１１ｃと第２可動接点部８ｃとの導通を、常に確実に行うことができるようになっている。
【００４０】
また、第２固定接点部材１１は、基材１１ａの奥側を折り曲げて位置決め部１１ｄを形成し、この位置決め部１１ｄを第１固定部材１０の固定部１０ｆと同方向に延長させて固定部１１ｅを形成し、この固定部１１ｅの図示右側端部に、治具接触部１１ｆが形成されている。
また、第２固定接点部材１１は、固定部１１ｅを下方側に折り曲げて、第１固定接点部材１０のＦＰＣ固定部１０ｄと同様のＦＰＣ固定部（図示せず）が形成され、このＦＰＣ固定部にＦＰＣ接触部が形成されている。
【００４１】
また、図２に示すハウジング２の図示下方の側壁２ｇ近傍の底面３ａ上には、カード収納部３に装着したカード部材（図示せず）を排出可能なスライド部材１２が配設され、このスライド部材１２はコイルバネ１３に弾性付勢されて、図示左右方向にスライド自在になっている。
また、ハウジング２は、カード収納部３の上方を覆う金属板からなるカバー１４が配設されており、このカバー１４は、図１に示すように、２個の矩形状の開口部１４ａと、カード収納部３に挿入したカード部材の上面に当接可能な舌片部１４ｂ、１４ｃとが形成されている。
【００４２】
また、カバー１４は、図示右端部に一対の係合片１４ｄ、１４ｄが互いに対向する方向に折り曲げ形成され、この係合片１４ｄ、１４ｄが、ロック部材７のスリット孔７ｊに係合可能になっている。
このようなカバー１４は、図１に示す上下の側板１４ｅ、１４ｅがハウジング２の側壁２ｇを挟むように折り曲げ形成されている。
また、側板１４ｅの一部を外向きに折り曲げて、ＰＣ等の機器側の基板（図示せず）に取り付けるための取付部１４ｆが形成されている。
そして、側板１４ｅに形成した係止孔（図示せず）を側壁２ｇの係止部２ｍにスナップ係合させることにより、カバー１４をハウジング２に装着可能になっている。
【００４３】
このような構成の本発明のカード用コネクタ装置１は、パーソナルコンピュータ（以後ＰＣと称する）等の機器（図示せず）側に取り付けて、機器側のＦＰＣ（フレキシブルプリント基板）１５の端部を、ＦＰＣ挿入部２ｂから端子部材４、可動接点部材８、第１、第２固定接点部材１０、１１のそれぞれの差込口に差し込み可能になっている。
前記ＦＰＣ１５は、図１、図５に示すように、所定厚さのフィルム状の基材１５ａを有し、この基材１５ａの一端部側で一方の面（図示上面）には、基材１５ａの一端部側の変形を防止するために変形防止部材１５ｂが設けられ、他方の面（図示下面）には複数の回路パターン（図示せず）に接続された、複数の接続部である導体パターン１５ｃが形成されている。
【００４４】
そして、本発明のカード用コネクタ装置１へのＦＰＣ１５の装着方法を説明すると、まず、ＦＰＣ１５を装着する前のロック部材７を、図５に示すように、矢印Ｂ方向に移動させると、ＦＰＣ圧接部７ｂが端子部材４、可動接点部材８、第１、愛２固定接点部材１０、１１のそれぞれの差込口から抜け出て、図１１の２点鎖線で示す第１係止部７ｈがハウジング２の係合部２ｆに係合支持された状態になっている。
このロック部材７のＦＰＣ圧接部７ｂが、それぞれの差込口から抜け出た状態のＦＰＣ挿入部２ｂからＦＰＣ１５を挿入すると、それぞれの差込口にＦＰＣ１５の端部が差し込まれる。
【００４５】
それぞれの差込口にＦＰＣ１５の端部を差し込んで、ロック部材７を矢印Ａ方向に移動させると、図６に示すように、嵌合溝７ａにロック部材支持部５ｃが嵌合し、ＦＰＣ圧接部７ｂがＦＰＣ１５の導体パターン１１ｃを、それぞれのＦＰＣ接触部に圧接されて、ＦＰＣ１５がハウジング２に固定される。
このことにより、ＦＰＣ１５の導体パターン１５ｃが端子部材４、可動接点部材８、第１、第２固定接点部材１０、１１に電気的に導通する。
【００４６】
この時のそれぞれの治具接触部４ｅ、８ｎ、１０ｇ、１１ｆは、図１に示すように、ロック部材７の開口部７ｄから露出するので、治具接触部４ｅに上方から導通チエック用治具（図示せず）を接触させて、カード部材と端子部材４、可動接点部材８、第１、第２小手接点部材１０、１１との導通チエック等の検査を行うことができる。
【００４７】
また、本発明の実施の形態では、１枚の金属板からなる可動端子部材８に第１、第２検出スイッチの第１可動接点部８ｂ、第２可動接点部８ｃを連ねて一体形成したもので説明したが、第１、第２検出スイッチは、第１可動接点部材と第２可動接点部材とを別体で形成し、第１可動接点部材に第１可動接点部を形成し、第２可動接点部材に第２可動接点部を形成し、第１、第２可動接点部材にそれぞれＦＰＣ固定部を形成したものでも良い。
即ち、本発明のカード用コネクタ装置は、図示を省略するが、可動接点部材とこの可動接点部材が接触可能な固定接点部材とをそれぞれ有し、このそれぞれの可動接点部材および固定接点部材にＦＰＣ１５の複数の接触部である導体パターン１５ｃのそれぞれ接触可能なＦＰＣ接触部を形成したものでも良い。
【００４８】
【発明の効果】
以上説明したように、本発明のカード用コネクタ装置の第１、第２検出スイッチは、可動接点部材とこの可動接点部材が接触可能な固定接点部材とをそれぞれ有し、可動接点部材および固定接点部材と複数の端子部材には、ＦＰＣ挿入部に挿入したＦＰＣの複数の接続部にそれぞれ接触可能なＦＰＣ接触部を形成したので、第１、第２検出スイッチとＦＰＣとを半田付けしなくても良く、組立作業性が良い。
【００４９】
また、可動接点部材は、第１可動接点部と第２可動接点部とを、カード収納部に挿入するカード部材の挿入方向と平行方向に連ねて形成し、１つのＦＰＣ接触部を介してＦＰＣが接続可能としたので、１つのＦＰＣ接触部で２つの可動接点部をＦＰＣに接続することができ、更に組立作業性が良い。
また、ＦＰＣ接触部の数を減らして、コネクタ幅方向の寸法を小さくできる。
【００５０】
また、可動接点部材は、長尺状の１枚の金属板からなり、この１枚の金属板の長手方向に並列させて、第１可動接点部と第２可動接点部とを形成したので、部品点数を減らして小型が可能なカード用コネクタ装置を提供できる。
【００５１】
また、可動接点部材は、基材をカード収納部に隣設したスイッチ収納部に配置し、第１可動接点部をスイッチ収納部の奥側に、第２可動接点をスイッチ収納部の手前側に位置させたので、カード収納部に挿入するカード部材が、確実に第１、第２可動接点部を操作することができる。
【００５２】
また、それぞれの固定接点部材は、第１可動接点部が接触可能な第１固定接点部材と、第２可動接点部が接触可能な第２固定接点部材とを備え、第２固定接点部材は、第２可動接点部が接触すると押圧されて弾性変形するようにしたので、互いの接点部が摺動して接点部をクリーニングして、常に確実な導通を行うことができる。
【００５３】
また、カード部材の前端部側の一方のコーナ部が第１検出スイッチの可動接点部を押圧して、第１検出スイッチがＯＮしカード部材が挿入されたことを検出すると共に、第２検出スイッチがカード収納部に挿入されたカード部材への情報の書き込み可否を検出するようにしたので、カード部材の検出と同時に情報の書き込み可否も検出でき、書き込み禁止となっているカード部材に、誤って情報の書き込みを行うことがない。
【図面の簡単な説明】
【図１】本発明のカード用コネクタ装置の上面図である。
【図２】発明に係わるハウジングの上面図である。
【図３】発明に係わるロック部材を説明する図である。
【図４】発明に係わるロック部材を説明する図である。
【図５】本発明に係わるロック部材の動作を説明する要部断面図である。
【図６】本発明に係わるロック部材の動作を説明する要部断面図である。
【図７】本発明に係わる端子部材の斜視図である。
【図８】本発明に係わる検出スイッチを説明する概略図である。
【図９】本発明に係わる検出スイッチを説明する概略図である。
【図１０】本発明に係わる検出スイッチを説明する概略図であっる。
【図１１】本発明に係わるロック部材の動作を説明する概略図である。
【図１２】従来のカード用コネクタ装置を説明する要部断面図である。
【符号の説明】
１　本発明のカード用コネクタ装置
２　ハウジング
３　カード収納部
４　端子部材
５　ＦＰＣ固定部
６　端子固定部
７　ロック部材
８　可動接点部材
９　ＦＰＣ固定部
１０　第１の固定接点部材
１１　第２の固定接点部材
１２　スライド部材
１３　コイルバネ
１４　カバー
１５　ＦＰＣ
【図１】
2004127693.tif 000003
【図２】
2004127693.tif 000004
【図３】
2004127693.tif 000005
【図４】
2004127693.tif 000006
【図５】
2004127693.tif 000007
【図６】
2004127693.tif 000008
【図７】
2004127693.tif 000009
【図８】
2004127693.tif 000010
【図９】
2004127693.tif 000011
【図１０】
2004127693.tif 000012
【図１１】
2004127693.tif 000013
【図１２】
2004127693.tif 000014